(57)【特許請求の範囲】
【請求項１】
加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部は、前記光ファイバーの前記加入者装置側の入力端面にビデオ信号を反射させる反射層を設けたことを特徴とするデータ伝送システム。
【請求項２】
前記反射層は、誘電体多層膜フイルタであることを特徴とする請求項１記載のデータ伝送システム。
【請求項３】
加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部は、コアと、該コアの外周面を被覆するクラッドからなる前記光ファイバーの該クラッドに多数の欠状部を設けて、ビデオ信号を反射させるようにしたことを特徴とするデータ伝送システム。
【請求項４】
加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部として、ビデオ信号の波長信号を吸収するポリマー系光導波路を用いたことを特徴とするデータ伝送システム。
【請求項５】
前記局装置には、送信すべきビデオ信号を増幅する光増幅器と、該光増幅器から出力されたビデオ信号をパワー的に分配する光分配器と、ビデオ信号以外の信号をそれぞれ伝送する複数の送受信部と、前記送受信部にそれぞれ対応して設けられ、前記光分配器によりそれぞれ分配されたビデオ信号とそれぞれの前記送受信部から伝送されるビデオ信号以外の信号を多重化する複数の第２の波長多重分離部とを備えたことを特徴とする請求項１、請求項３および請求項４のうちのいずれか１項記載のデータ伝送システム。
【請求項６】
前記局装置には、それぞれ波長の異なるビデオ信号を発生する複数のビデオ信号発生部と、該複数のビデオ信号発生部からのビデオ信号を多重し、前記光増幅器に出力する第３の波長多重分離部とを備えたことを特徴とする請求項５記載のデータ伝送システム。
【発明の詳細な説明】
【技術分野】
【０００１】
この発明は、加入者装置と局装置間を光ファイバーで接続し、局装置においてビデオ信号と該ビデオ信号以外の信号を多重化して多数の加入者装置に配信し、加入者装置において受信信号を分離するデータ伝送システムに関するものである。
【背景技術】
【０００２】
図１は従来のデータ伝送システムとしてのＡＴＭ−ＰＤＳ（非同期転送モード−パッシブダブルスター）システムの構成を示す概要図である。図１において、１０１は多数の送受信部を有する局装置であるが、図示例は説明を簡単にするために１つの送受信部１１４のみを示す。１０２は局装置１０１に光ファイバー１０３を介して接続した光分配器としてのスターカプラ、１０４ａ〜１０４ｃはスターカプラ１０２の分離出力端に接続された光ファイバー、１０５ａ〜１０５ｃは光ファイバー１０４ａ〜１０４ｃに接続した加入者装置である。なお、１つのスターカプラの分離数は現状では３２であるから、それぞれの分離出力端に光ファイバー１０４ａ〜１０４ｃ・・を介して加入者装置を接続することにより、３２台の加入者装置を接続することができる。
【０００３】
上記局装置１０１は、ビデオ信号発生部１１１で発生されたビデオ信号を、光信号として出力する送信用レーザダイオード（ＬＤ）１１２、この送信用レーザダイオード（ＬＤ）１１２の出力と送受信部１１４の出力とを入力する波長多重分離部（ＷＤＭ「Ｗａｖｅｌｅｎｇｔｈ  Ｄｉｖｉｓｉｏｎ  Ｍｕｌｔｉｐｌｅｘ」）１１３、電気信号多重分離部１１５、処理部１１６を有する。上記送受信部１１４は、波長多重分離部（ＷＤＭ）１２１、この波長多重分離部（ＷＤＭ）１２１からの光信号を電気信号として出力する受信用フォトダイオード（ＰＤ）１２３、電気信号を光信号として出力する送信用レーザダイオード（ＬＤ）１２２、信号処理部１２４を有する。また、上記処理部１１６は信号処理部１１７、送信用レーザダイオード（ＬＤ）１１８、受信用フォトダイオード（ＰＤ）１１９を有する。
【０００４】
上記加入者装置１０５ａは、ファイバー１０４ａに接続された波長多重分離部（ＷＤＭ）１３１ａ、この波長多重分離部（ＷＤＭ）１３１ａで分離されたビデオ信号の波長域を入力して、電気信号として出力する受信用フォトダイオード（ＰＤ）１３２ａ、この電気信号を入力するビデオ受像器１３３ａ、上記波長多重分離部（ＷＤＭ）１３１ａで分離されたビデオ信号以外の信号を入力する送受信部１３４ａを有する。この送受信部１３４ａは波長多重分離部（ＷＤＭ）１４１ａ、この波長多重分離部（ＷＤＭ）１４１ａからの光信号を電気信号として出力する受信用フォトダイオード（ＰＤ）１４２ａ、電気信号を光信号として出力する送信用レーザダイオード（ＬＤ）１４３ａ、電気信号分離多重部１４４ａ、電話機１４７ａが接続されたＡ／Ｄ（アナログ／デジタル）変換部１４５ａ、ファックス１４８ａが接続されたＡ／Ｄ（アナログ／デジタル）変換部１４６ａ等を有する。なお、パーソナルコンピュータ１４９ａは電気信号分離多重部１４４ａに直接接続される。また、他に光ファイバー１０４ｂに接続された加入者装置１０５ｂ等も上記と同一の構成である。ただ、加入者装置１０５ｂのようにビデオ受像器を必要としない場合は、受信用フォトダイオード（ＰＤ）の代わりに終端部１３５ｂを接続することになる。
【０００５】
次に動作について説明する。
局装置１０１において、ビデオ信号発生部１１１からのビデオ信号を送信用レーザダイオード（ＬＤ）１１２に供給して、この送信用レーザダイオード（ＬＤ）１１２から光信号として波長多重分離部（ＷＤＭ）１１３に入力する。この波長多重分離部（ＷＤＭ）１１３では、上記光信号と送受信部１１４からの光信号を多重して光ファイバー１０３を介してスターカプラ１０２に供給する。スターカプラ１０２で分離された信号は、それぞれ加入者装置１０５ａ，１０５ｂ等に送られる。
【０００６】
加入者装置１０５ａでは、まず入力信号を波長多重分離部（ＷＤＭ）１３１ａでビデオ信号とそれ以外の信号に分離し、ビデオ信号は受信用フォトダイオード（ＰＤ）１３２ａを介してビデオ受像器１３３ａに入力する。一方、ビデオ信号以外の信号は送受信部１３４ａの波長多重分離部（ＷＤＭ）１４１ａを通って受信用フォトダイオード（ＰＤ）１４２ａに入力し、電気信号に変換されて出力される。そして、この出力信号は電気信号分離多重部１４４ａでそれぞれの信号に分離され、電話信号であれば、Ａ／Ｄ変換部１４５ａを介して電話機１４７ａに出力され、ファックス信号であれば、Ａ／Ｄ変換部１４６ａを介してファックス１４８ａに出力される。また、コンピュータ信号であれば、電気信号多重分離部１４４ａから直接パーソナルコンピュータ１４９ａに出力される。
【０００７】
一方、加入者装置１０５ａに接続された例えば電話機１４７ａからの信号は、上記とは反対に、Ａ／Ｄ変換部１４５ａを経てデジタル信号に変換された後、電気信号分離多重部１４４ａを経て送信用レーザダイオード（ＬＤ）１４３ａに入力し、光信号に変換されて波長多重分離部（ＷＤＭ）１４１ａ、波長多重分離部（ＷＤＭ）１３１ａを経てスターカプラ１０２に供給される。そして、光ファイバー１０３を介して局装置１０１に送られ、波長多重分離部（ＷＤＭ）１１３、波長多重分離部（ＷＤＭ）１２１を経て受信用フォトダイオード（ＰＤ）１２３に入力し、電気信号に変換されて出力される。そして、この出力信号は信号処理部１２４、電気信号多重分離部１１５を経て処理部１１６に入力され、信号処理部１１７を経て送信用レーザダイオード（ＬＤ）１１８で再度光信号に変換されて他局に送られる。
【０００８】
従来、上記のデータ伝送システムにおいては、局装置から加入者装置への下り信号用に割り当てられている波長帯１４８０〜１５８０ｎｍを、１４８０〜１５３０ｎｍと１５３０〜１５８０ｎｍに２分割し、その長波長域１５３０〜１５８０ｎｍをビデオ信号配信用に割り当てることが考えられている。この場合、加入者装置は下り信号用に割り当てられている波長域１４８０〜１５８０ｎｍから、ビデオ信号用の波長域１５３０〜１５８０ｎｍとビデオ信号以外の信号用に割り当てられている波長帯１４８０〜１５３０ｎｍを分離する波長多重分離部（ＷＤＭ）を必要とする。
【０００９】
この波長多重分離部（ＷＤＭ）として従来使用されているものとしては、空間光学系フイルタがある。この空間光学系フイルタは図２に示すように、ガラス基板１５１の片面に特定波長信号を反射させる反射層１５２を設け、このガラス基板１５１を挟むように、集光レンズ１５３、１５４を介在させて光ファイバー１５５，１５６を配置し、上記反射層１５２からの反射光を入力するように集光レンズ１５７を介在させて光ファイバー１５８を配置した構成である。
【００１０】
上記のように、空間光学系フイルタは複雑な構成であり、特に、光ファイバーと集光レンズの光軸合わせが面倒であり、高価である。この高価な空間光学系フイルタをビデオ信号と該ビデオ信号以外の信号との分離のために全ての加入者装置に設けるため、加入者装置が高価であった。従って、ビデオサービスを必要としない加入者も高価な加入者装置を購入しなければならないという課題があった。
【００１１】
この発明は、上記のような従来の課題を解消するためになされたもので、ビデオサービスを受けたくない加入者には安価な加入者装置を提供できるようにすることを目的とする。
【発明の開示】
【００１２】
この発明に係るデータ伝送システムは、加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部は、前記光ファイバーの前記加入者装置側の入力端面にビデオ信号を反射させる反射層を設けたものである。
【００１３】
このことによって、ビデオサービスを受けたくない加入者は、ビデオ信号とそれ以外の信号とを分離して出力する高価な空間光学系フイルタを必要としないので、このような高価な空間光学系フイルタを使用しないビデオ信号以外のデータ伝送を行うことのできる簡単な構成で安価な波長多重分離部（ＷＤＭ）を有する加入者装置を加入者に提供することができるという効果がある。
【００１４】
この発明に係るデータ伝送システムは、前記反射層を、誘電体多層膜フイルタとしたものである。
【００１５】
このことによって、波長多重分離部（ＷＤＭ）を簡単な構成で安価に得ることができるという効果がある。
【００１６】
この発明に係るデータ伝送システムは、加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部は、コアと、該コアの外周面を被覆するクラッドからなる前記光ファイバーの該クラッドに多数の欠状部を設けて、ビデオ信号を反射させるようにしたものである。
【００１７】
このことによって、ビデオサービスを受けたくない加入者は、ビデオ信号とそれ以外の信号とを分離して出力する高価な空間光学系フイルタを必要としないので、このような高価な空間光学系フイルタを使用しないビデオ信号以外のデータ伝送を行うことのできる簡単な構成で安価な波長多重分離部（ＷＤＭ）を有する加入者装置を加入者に提供することができるという効果がある。
【００１８】
この発明に係るデータ伝送システムは、加入者装置と局装置間を光ファイバーで接続し、前記局装置においてビデオ信号と該ビデオ信号以外の信号を多重化して多数の前記加入者装置に配信し、前記加入者装置において受信信号を分離するデータ伝送システムにおいて、多数の前記加入者装置のうちのビデオサービスの必要としない加入者装置には、受信信号からビデオ信号を除去し、かつビデオ信号以外の信号のみを伝送する機能を有する第１の波長多重分離部を備え、前記第１の波長多重分離部として、ビデオ信号の波長信号を吸収するポリマー系光導波路を用いたものである。
【００１９】
このことによって、ビデオサービスを受けたくない加入者は、ビデオ信号とそれ以外の信号とを分離して出力する高価な空間光学系フイルタを必要としないので、このような高価な空間光学系フイルタを使用しないビデオ信号以外のデータ伝送を行うことのできる簡単な構成で安価な波長多重分離部（ＷＤＭ）を有する加入者装置を加入者に提供することができるという効果がある。
【００２０】
この発明に係るデータ伝送システムは、前記局装置には、送信すべきビデオ信号を増幅する光増幅器と、該光増幅器から出力されたビデオ信号をパワー的に分配する光分配器と、ビデオ信号以外の信号をそれぞれ伝送する複数の送受信部と、前記送受信部にそれぞれ対応して設けられ、前記光分配器によりそれぞれ分配されたビデオ信号とそれぞれの前記送受信部から伝送されるビデオ信号以外の信号を多重化する複数の第２の波長多重分離部とを備えたものである。
【００２１】
このことによって、ビデオ信号発生源を共用化して低コスト化を図ることができるという効果がある。
【００２２】
この発明に係るデータ伝送システムは、前記局装置には、それぞれ波長の異なるビデオ信号を発生する複数のビデオ信号発生部と、該複数のビデオ信号発生部からのビデオ信号を多重し、前記光増幅器に出力する第３の波長多重分離部とを備えたものである。
【００２３】
このことによって、将来の大容量化に容易に対応することができるという効果がある。
【発明を実施するための最良の形態】
【００２４】
以下、この発明をより詳細に説明するために、この発明を実施するための最良の形態について、添付の図面に従って説明する。
実施の形態１．
図３はこの発明の実施の形態１によるデータ伝送システム構成を示す概略図である。図３において、１は多数の送受信部を有する局装置であるが、図示例は説明を簡単にするために１つの送受信部１４を示す。２は局装置１に光ファイバー３を介して接続した光分配部としてのスターカプラ（ＳＣ）、４ａ〜４ｃはスターカプラ２の分離出力端に接続された光ファイバー、５ａ，５ｂは光ファイバー４ａ，４ｂに接続した加入者装置である。なお、１つのスターカプラ２の分離数は現状では３２であるから、それぞれの分離出力端に光ファイバー４ａ〜４ｃ・・を介して加入者装置を接続することにより、３２台の加入者装置を接続することができる。
【００２５】
上記局装置１は、ビデオ信号発生部１１で発生されたビデオ信号を、光信号として出力する送信用レーザダイオード（ＬＤ）１２、この送信用レーザダイオード（ＬＤ）１２の出力と送受信部１４の出力とを入力する波長多重分離部（ＷＤＭ）１３、電気信号多重分離部１５、処理部１６を有する。上記送受信部１４は、波長多重分離部（ＷＤＭ）２１、この波長多重分離部（ＷＤＭ）２１からの光信号を電気信号として出力する受信用フォトダイオード（ＰＤ）２３、電気信号を光信号として出力する送信用レーザダイオード（ＬＤ）２２、信号処理部２４を有する。また、上記処理部１６は信号処理部１７、送信用レーザダイオード（ＬＤ）１８、受信用フォトダイオード（ＰＤ）１９を有する。
【００２６】
上記加入者装置５ａは、光ファイバー４ａに接続された波長多重分離部（ＷＤＭ）１３１ａ、この波長多重分離部（ＷＤＭ）１３１ａで分離されたビデオ信号の波長域を入力して、電気信号として出力する受信用フォトダイオード（ＰＤ）３２ａ、この電気信号を入力するビデオ受像器３３ａ、上記波長多重分離部（ＷＤＭ）１３１ａで分離されたビデオ信号以外の信号を入力する送受信部３４ａを有する。この送受信部３４ａは波長多重分離部（ＷＤＭ）４１ａ、この波長多重分離部（ＷＤＭ）４１ａからの光信号を電気信号として出力する受信用フォトダイオード（ＰＤ）４２ａ、電気信号を光信号として出力する送信用レーザダイオード（ＬＤ）４３ａ、電気信号分離多重部４４ａ、電話機４７ａが接続されたＡ／Ｄ（アナログ／デジタル）変換部４５ａ、ファックス４８ａが接続されたＡ／Ｄ（アナログ／デジタル）変換部４６ａを有する。パーソナルコンピュータ４９ａは電気信号分離多重部４４ａに直接接続される。
【００２７】
上記波長多重分離部（ＷＤＭ）４１ａはビデオ信号の波長域例えば１５３０〜１５８０ｎｍの信号を通さないものである。なお、他に光ファイバー４ｂに接続された加入者装置５ｂ等も上記と同一の構成であるから説明を省略する。
【００２８】
図４は上記波長多重分離部（ＷＤＭ）４１ａ（４１ｂ等）の一例を示す説明図である。図４において、６１は導波路チップ、６２は導波路チップ６１の第１の端面６１ａ側に配置され、１３００ｎｍ波長域の光を発する送信用レーザダイオード（ＬＤ）、６３は導波路チップ６１の第１の端面６１ａ側に配置され、外部から１５００ｎｍ波長域の光を入力する光ファイバ、６４は導波路チップ６１の第２の端面６１ｂ上に配置された波長多重分離部（ＷＤＭ）、６５は導波路チップ６１の第２の端面６１ｂ側に配置された受信用フォトダイオード（ＰＤ）である。
【００２９】
導波路チップ６１において、６６は送信用レーザダイオード（ＬＤ）６２が発した１３００ｎｍ波長域の光が伝搬する第１の光導波路、６７は光ファイバ６３を介して入力した１５００ｎｍ波長域の光、及び第１の光導波路６６を伝搬しかつ波長多重分離部（ＷＤＭ）６４で反射した１３００ｎｍ波長域の光が伝搬する第２の光導波路、６８は第１の光導波路６６のＷＤＭフィルタ側端と第２の光導波路６７のＷＤＭフィルタ側端とが接続して成る第１の光導波路６６と第２の光導波路６７との接続部である。
【００３０】
受信用フォトダイオード（ＰＤ）６５は、第２の光導波路６７の波長多重分離部（ＷＤＭ）６４に対する直交線上に位置し、第１の光導波路６６と第２の光導波路６７との接続部６８の近傍に配置されている。第１の光導波路６６と第２の光導波路６７との接続部６８は、第２の光導波路６７を伝搬した１５００ｎｍ波長域の光の光導波路６１からの出射位置である。
【００３１】
上記送信用レーザダイオード（ＬＤ）６２が発した１３００ｎｍ波長域の光は、波長多重分離部（ＷＤＭ）６４で反射した後、光ファイバ６３と結合し、外部に出力される。一方、光ファイバ６３を介して入力した１５００ｎｍ波長域の光は、波長多重分離部（ＷＤＭ）６４を透過した後、受信用フォトダイオード（ＰＤ）６５と結合する。
【００３２】
この第２の光導波路６７にポリイミド等のポリマー系を用いることにより、図５に示すように、１６５０ｎｍの波長域を大きく減衰させる特性が得られる。従って、ビデオ信号の波長を１６５０ｎｍ近傍とすることにより、入力されたビデオ信号を減衰させて出力させないようにし、ビデオ信号以外の信号を透過させることができる。
【００３３】
また、図６（ａ），（ｂ）に示すように、コア７１と、このコア７１の外周面を被覆するグラッド７２からなる光ファイバーの該グラッドに多数の欠状部７３を設けることにより、供給される信号の中から特定波長信号を反射させて入力させないようにすることができる。また、図６（ｃ）に示すように、光ファイバー７５の端面に誘導体多層膜７６を設けると、１６５０ｎｍ以上の波長を反射させて入力させないように構成することができる。従って、図６（ａ）〜（ｃ）に示す光ファイバーを加入者装置の波長多重分離部（ＷＤＭ）として用いることができる。
【００３４】
次に動作について説明する。
局装置１において、ビデオ信号発生部１１からのビデオ信号を送信用レーザダイオード（ＬＤ）１２に供給して、この送信用レーザダイオード（ＬＤ）１２から光信号として波長多重分離部（ＷＤＭ）１３に入力する。この波長多重分離部（ＷＤＭ）１３では、上記光信号と送受信部１４からの光信号を多重して光ファイバー３を介してスターカプラ２に供給する。スターカプラ２で分離された信号は、それぞれ加入者装置５ａ，５ｂ等に送られる。
【００３５】
加入者装置５ａでは、まず入力信号を波長多重分離部（ＷＤＭ）１３１ａでビデオ信号とそれ以外の信号に分離し、ビデオ信号は受信用フォトダイオード（ＰＤ）３２ａを介してビデオ受像器３３ａに入力する。一方、ビデオ信号以外の信号は送受信部３４ａの波長多重分離部（ＷＤＭ）４１ａを通って受信用フォトダイオード（ＰＤ）４２ａに入力し、電気信号に変換されて出力される。そして、この出力信号は電気信号分離多重部４４ａでそれぞれの信号に分離され、電話信号であれば、Ａ／Ｄ変換部４５ａを介して電話機４７ａに出力され、ファックス信号であれば、Ａ／Ｄ変換部４６ａを介してファックス４８ａに出力される。また、コンピュータ信号であれば、電気信号多重分離部４４ａから直接パーソナルコンピュータ４９ａに出力される。
【００３６】
一方、加入者装置５ａに接続された例えば電話機４７ａからの信号は、上記とは反対に、Ａ／Ｄ変換部４５ａを経てデジタル信号に変換された後、電気信号分離多重部４４ａを経て送信用レーザダイオード（ＬＤ）４３ａに入力し、光信号に変換されて波長多重分離部（ＷＤＭ）４１ａ、波長多重分離部（ＷＤＭ）３１ａ、光ファイバー４ａを経てスターカプラ２に供給される。そして、光ファイバー３を介して局装置１に送られ、波長多重分離部（ＷＤＭ）１３、波長多重分離部（ＷＤＭ）２１を経て受信用フォトダイオード（ＰＤ）２３に入力し、電気信号に変換されて出力される。そして、この出力信号は信号処理部２４、電気信号多重分離部１５を経て処理部１６に入力され、信号処理部１７を経て送信用レーザダイオード（ＬＤ）１８で再度光信号に変換されて他局に送られる。
【００３７】
一方、ビデオサービスを必要としない加入者装置５ｂには、波長多重分離部（ＷＤＭ）は有していないので、スターカプラ２で分離されたビデオ信号を含む信号が直接、波長多重分離部４１ｂに入力される。しかし、この波長多重分離部４１ｂはビデオ信号の波長を吸収あるいは反射して入力しないので、受信用フォトダイオード（ＰＤ）４２ｂにはビデオ信号以外の信号のみが伝送される。
【００３８】
以上のように、この実施の形態１によれば、ビデオサービスを受けたくない加入者は、ビデオ信号の波長域を吸収する波長多重分離部（ＷＤＭ）（図４）あるいはビデオ信号の波長域を反射させる波長多重分離部（ＷＤＭ）（図６）を用いて、加入者装置を構成することにより、局装置１からのビデオ信号とそれ以外の信号とを分離することなく受信しても、ビデオ信号を入力させないため、従来必要としていたビデオ信号とそれ以外の信号とを分離する高価な空間光学系フイルタを必要としない。この結果、加入者装置を安価に構成することができ、ビデオサービスを受けない加入者に対しては安価な加入者装置を提供することができる。
【００３９】
また、実施の形態１によれば、加入者装置５ａの波長多重分離部（ＷＤＭ）１３１ａおよび波長多重分離部（ＷＤＭ）４１ａのうち、波長多重分離部（ＷＤＭ）４１ａとして、ビデオ信号の波長域を反射させる波長多重分離部（ＷＤＭ）（図６）を用いることにより、波長多重分離部（ＷＤＭ）１３１ａで分離しきれずに残ったビデオ信号を波長多重分離部（ＷＤＭ）４１ａにおいて除去することができるため、分離精度が比較的劣るような安価なＷＤＭを波長多重分離部（ＷＤＭ）１３１ａとして使用することができる。
【００４０】
実施の形態２．
図７はこの発明の実施の形態２によるデータ伝送システム構成を示す概略図であり、局装置１にある複数の送受信部１４ａ，１４ｂの出力のそれぞれにビデオ信号を多重化するものである。この場合、送信用レーザダイオード１２ａの出力を直接光分配器としてのスターカプラ８２でｎ分離すると、出力レベルが１／ｎとなるので、まず、光増幅部８１で増幅した後、スターカプラ８２で分離するように構成したものである。他の構成は、前記実施の形態１と同じであるので重複説明を省略するとともに、実施の形態１の光信号が伝送する部分のみを示している。
【００４１】
次に動作を説明する。
局装置１はビデオ信号発生器１１ａから出力信号を、送信用レーザダイオード（ＬＤ）１２ａに入力して、例えば、１６５０〜１６６０ｎｍの波長域の信号として出力し、この波長域の信号を光増幅部８１で増幅後、スターカプラ（ＳＣ）８２で分離して波長多重分離部（ＷＤＭ）１３ａ（１３ｂ）に入力して、例えば、電話、ファックス、パーソナルコンピュータからの信号を多重化した各送受信部１４ａ（１４ｂ）の波長多重分離部（ＷＤＭ）２１ａ（２１ｂ）の出力と多重化する。
【００４２】
次いで、波長多重分離部１３ａ（１３ｂ）の出力を光ファイバ３ａ（３ｂ）を経てスターカプラ（ＳＣ）２ａ（〜２ｎ）に伝送し、このスターカプラ（ＳＣ）２ａ（２ｂ）で分離して、それぞれの加入者装置５ａ（スターカプラ２ｂに対する加入者装置は図示せず）に供給する。従って、ビデオ受像器３３ａを有する加入者装置５ａは、波長多重分離部３１ａでビデオ信号を他の信号と分離して出力し、ビデオ信号は受信用フォトダイオード（ＰＤ）３２ａに入力して電気信号に変換して、ビデオ受像器３３ａに供給する。
【００４３】
一方、ビデオサービスを必要としない加入者装置５ｂには、波長多重分離部（ＷＤＭ）は有していないので、スターカプラ２ａで分離されたビデオ信号を含む信号が直接、波長多重分離部４１ｂに入力される。しかし、この波長多重分離部４１ｂはビデオ信号の波長を吸収あるいは反射して入力しないので、受信用フォトダイオード（ＰＤ）４２ｂにはビデオ信号以外の信号のみが伝送される。
【００４４】
以上のように、この実施の形態２によれば、局装置１にある複数の送受信部１４ａ，１４ｂの出力と多重化するビデオ信号源を共用化しているので、データ伝送システム全体の低コスト化を図ることができる。
【００４５】
実施の形態３．
図８はこの発明の実施の形態３によるデータ伝送システムの構成を示す概略図であり、局装置１に複数のビデオ信号発生部１１ａ，１１ｂを設け、この各ビデオ信号発生部１１ａ，１１ｂの出力を波長多重分離部（ＷＤＭ）８３で多重化し、光増幅部８１で増幅した後、スターカプラ８２で分離し、波長多重分離部（ＷＤＭ）１３ａで多重化するもので、他の構成および動作は実施の形態２と同一であるから詳細な説明は省略するとともに、実施の形態１の光信号が伝送する部分のみを示している。
【００４６】
以上のように、この実施の形態３によれば、複数のビデオ信号を波形多重分離部（ＷＤＭ）８３で多重化するので、将来の大容量化に容易に対応可能とすることができる。
【００４７】
なお、上記の各実施の形態は、局装置１から光ファイバー３ａ（３ｂ・・）で伝送された信号をスターカプラ（ＳＣ）２ａ（２ｂ・・）で分離し、その各分離出力端に光ファイバー４ａ，４ｂ・・を介して加入者装置を接続したＡＴＭ−ＰＤＳ（非同期転送モード−パッシブダブルスター）システムを例示して説明したが、光分配器としてのスターカプラ（ＳＣ）２ａ（２ｂ・・）を用いることなく、局装置１と加入者装置５ａ，５ｂをそれぞれ１対１の関係に接続したＡＴＭ−ＰＤＳ（非同期転送モード−パッシブシングルスター）システムであっても、局装置１で多数の信号を多重化して加入者装置５ａに伝送し、この加入者装置５ａにおいて、ある特定の信号を受信しない場合には、この特定の信号の波長域を反射あるいは吸収する波長多重分離部（ＷＤＭ）を用いて加入者装置を構成することにより、前述したように、加入者に対し安価な加入者装置を提供することができる。
【産業上の利用可能性】
【００４８】
以上のように、この発明に係るデータ伝送システムは、局装置からビデオ信号を各加入者装置へ配信し、加入者装置はビデオを受像することができるとともに、ビデオサービスを受けることを希望しない加入者に対しては、安価な加入者装置を提供できるようにしたものである。
【図面の簡単な説明】
【００４９】
【図１】  従来のデータ伝送システム構成を示す概略図である。
【図２】  従来のデータ伝送システムで用いられている波長多重分離部としての空間光学系フイルタの構成図である。
【図３】  この発明の実施の形態１によるデータ伝送システム構成を示す概略図である。
【図４】  この発明のデータ伝送システムで用いられている波長多重分離部（ＷＤＭ）の構成図である。
【図５】  その波長多重分離部（ＷＤＭ）の光導波路部分の波長に対する減衰量の特性図である。
【図６】  この発明のデータ伝送システムで用いられている他の波長多重分離部の構成図である。
【図７】  この発明の実施の形態２によるデータ伝送システム構成を示す概略図である。
【図８】  この発明の実施の形態３によるデータ伝送システム構成を示す概略図である。
【図１】
0003993091.tif 000002
【図２】
0003993091.tif 000003
【図４】
0003993091.tif 000004
【図３】
0003993091.tif 000005
【図５】
0003993091.tif 000006
【図６】
0003993091.tif 000007
【図７】
0003993091.tif 000008
【図８】
0003993091.tif 000009